(57)【要約】【課題】１枚のディスク媒体に複数のユーザが複数のチャンネルでアクセスして、ディスク媒体から各自の希望する曲や映像を再生する場合、アクセス操作時、再生出力が得られるまでに時間がかかっても、ユーザが、再生システムが誤動作し、または故障したと、誤認することがないようにする。【解決手段】アクセスコマンドを受け付けてから、当該アクセスコマンドで指定されたデータの再生を開始するまでの時間を予測し、画像（画面）または音声によって提示する。当該アクセスコマンドで指定されたデータの再生を開始するまでの間、そのときのディスク再生システムのアクセス状態を、画像（画面）または音声によって提示するようにしてもよい。【選択図】図８
2005158131.tif 000002
【特許請求の範囲】
【請求項１】
データが記録されているディスク媒体にチャンネルごとにアクセスして、前記ディスク媒体から各チャンネルのデータを再生する方法であって、
アクセスコマンドを受け付けてから、当該アクセスコマンドで指定されたデータの再生を開始するまでの間、あらかじめ用意されたデータによって内容情報を再生するディスク再生方法。
【請求項２】
請求項１のディスク再生方法において、
前記内容情報中で、そのときのディスク再生システムのアクセス状態を表すディスク再生方法。
【請求項３】
請求項１のディスク再生方法において、
前記内容情報中で、当該アクセスコマンドで指定されたデータの再生を開始するまでに要する時間を表すディスク再生方法。
【請求項４】
データが記録されているディスク媒体にチャンネルごとにアクセスして、前記ディスク媒体から各チャンネルのデータを読み取るメカデッキ部と、
その読み取られた各チャンネルのデータを、チャンネルごとにバッファメモリに蓄積し、バッファメモリから読み出す再生処理部と、
前記メカデッキ部および前記再生処理部を制御する制御部とを備え、
その制御部は、アクセスコマンドを受け付けてから、当該アクセスコマンドで指定されたデータの再生を開始するまでの間、あらかじめ用意されたデータによって内容情報を再生するディスク再生装置。
【請求項５】
請求項４のディスク再生装置において、
前記制御部は、前記内容情報中で、そのときのディスク再生システムのアクセス状態を表すディスク再生装置。
【請求項６】
請求項４のディスク再生装置において、
前記制御部は、前記内容情報中で、当該アクセスコマンドで指定されたデータの再生を開始するまでに要する時間を表すディスク再生装置。
【請求項７】
請求項４，５または６のディスク再生装置と、その前記再生処理部から得られた再生出力を受信する端末とからなるディスク再生システム。
【請求項８】
データが記録されているディスク媒体にチャンネルごとにアクセスして、前記ディスク媒体から各チャンネルのデータを再生する方法において、アクセスコマンドを受け付けたとき、当該アクセスコマンドで指定されたデータの再生を開始するまでに要する時間を予測するために、コンピュータを、
当該アクセスコマンドより先順位の各アクセスコマンド、および当該アクセスコマンドについての、それぞれ読み取りヘッドを前記ディスク媒体上の目的位置に移動させるのに要する時間、および、少なくとも前記先順位の各アクセスコマンドについての、それぞれ前記ディスク媒体からデータを読み取る時間を計算する手段、および、その計算された各時間の和を算出する手段、
として機能させるための時間計算用プログラム。
【発明の詳細な説明】
【技術分野】
【０００１】
この発明は、音楽データや映像データなどのデータが記録されているディスク媒体にチャンネルごとにアクセスして、ディスク媒体から各チャンネルのデータを再生する方法および装置、そのディスク再生方法で用いる時間計算用プログラム、およびディスク再生装置を備えるディスク再生システムに関する。
【背景技術】
【０００２】
ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などの光ディスク、Ｍｉｎｉ−Ｄｉｓｃ（登録商標）などの光磁気ディスク、または磁気ディスクなどのディスク媒体は、ランダムアクセスおよびマルチアクセスが可能である。
【０００３】
特許文献１（特開平１０−２９３９９０号公報）には、マルチアクセスを、ディスク媒体の異なる領域に対して同時に記録や再生を行うこととして、ハードディスクのある領域にデータを書き込む処理と別の領域からデータを読み出す処理とを同時に行うことが示されている。
【０００４】
また、特許文献２（特開２０００−２７８６４７号公報）には、複数のハードディスクを備えるマルチチャンネルＡＶ（Ａｕｄｉｏ  Ｖｉｓｕａｌ）サーバにおいて、画像再生要求があったとき、要求のあった再生速度に対応した部分の画像データを読み出して、バッファメモリに記憶し、バッファメモリから読み出して、再生画像を構成することによって、再生速度の変更が要求された場合に、その要求に即座に応じることが示されている。
【０００５】
しかし、このような記録と再生を同時に行うマルチアクセスや、複数のハードディスクを用いるマルチチャンネル化ではなく、複数のユーザが、多数の曲や映像タイトルが収録された１枚のディスク媒体に同時にアクセスして、各自の希望する曲や映像タイトルを再生し、鑑賞することが考えられる。
【０００６】
具体的に、この場合、ユーザＵ１，Ｕ２，Ｕ３が、それぞれ曲Ｍ１，Ｍ２，Ｍ３を聴こうとして、１枚のディスク媒体に同時にアクセスした場合、ディスク再生装置では、図１０に示すように、まず、読み取りヘッド４をディスク媒体２上の曲Ｍ１の先頭位置に移動させ、曲Ｍ１の最初の部分Ｍ１ａのデータを読み取って、当該チャンネルのバッファメモリ４５１に書き込む。
【０００７】
次に、矢印Ｓ１２で示すように、読み取りヘッド４を曲Ｍ２の先頭位置まで移動させ、曲Ｍ２の最初の部分Ｍ２ａのデータを読み取って、当該チャンネルのバッファメモリ４５２に書き込み、次に、矢印Ｓ２３で示すように、読み取りヘッド４を曲Ｍ３の先頭位置まで移動させ、曲Ｍ３の最初の部分Ｍ３ａのデータを読み取って、当該チャンネルのバッファメモリ４５３に書き込む。次に、曲Ｍ１に戻って、読み取りヘッド４を曲Ｍ１の次の部分Ｍ１ｂに移動させ、その部分Ｍ１ｂのデータを読み取って、バッファメモリ４５１に書き込む。以後、同様である。
【０００８】
図１１（同図の「ｃｈ」はチャンネル、「シーク」は読み取りヘッド４のディスク径方向への移動である）に示すように、バッファメモリ４５１，４５２，４５３に蓄積されたデータは、それぞれバッファメモリ４５１，４５２，４５３への転送レートより低いレートで、バッファメモリ４５１，４５２，４５３から読み出され、デコーダ４７１，４７２，４７３でデコードされる。これによって、各チャンネルの出力ＰＢ１，ＰＢ２，ＰＢ３として曲Ｍ１，Ｍ２，Ｍ３を、それぞれ連続して再生することができる。
【０００９】
上に挙げた先行技術文献は、以下の通りである。
【特許文献１】特開平１０−２９３９９０号公報
【特許文献２】特開２０００−２７８６４７号公報
【発明の開示】
【発明が解決しようとする課題】
【００１０】
しかしながら、上述したようなマルチアクセスによるマルチチャンネル再生では、アクセス開始時、再生出力が得られるまでに時間がかかる。
【００１１】
具体的に、図１０および図１１の例で、ユーザＵ１，Ｕ２，Ｕ３のアクセス操作によるアクセスコマンドが、それぞれ時点ｔ１，ｔ２，ｔ３で、ほぼ同時に受け付けられた場合、最後の曲Ｍ３の再生出力ＰＢ３が得られるまでに、時点ｔ３から、読み取りヘッド４が曲Ｍ１の先頭位置に移動する時間、曲Ｍ１の最初の部分Ｍ１ａのデータを読み取る時間、そこから曲Ｍ２の先頭位置に移動する時間、曲Ｍ２の最初の部分Ｍ２ａのデータを読み取る時間、そこから曲Ｍ３の先頭位置に移動する時間、および曲Ｍ３の最初の部分Ｍ３ａのデータを読み取る時間を加えた時間を要する。アクセスチャンネル数が、より多い場合には、より長い時間がかかる。
【００１２】
そのため、ユーザは、アクセス操作によってディスク媒体２にアクセスしたとき、再生システムが誤動作し、または故障したと、誤認することがある。
【００１３】
そこで、この発明は、アクセス操作時、ユーザがこのような誤認をすることがないようにしたものである。
【課題を解決するための手段】
【００１４】
この発明のディスク再生方法は、
データが記録されているディスク媒体にチャンネルごとにアクセスして、前記ディスク媒体から各チャンネルのデータを再生する方法であって、
アクセスコマンドを受け付けてから、当該アクセスコマンドで指定されたデータの再生を開始するまでの間、あらかじめ用意されたデータによって内容情報を再生するものである。
【００１５】
上記の、この発明のディスク再生方法では、ユーザは、アクセス操作時、再生システムが誤動作し、または故障したと、誤認することはない。
【００１６】
さらに、上記の内容情報中で、そのときのディスク再生システムのアクセス状態、または当該アクセスコマンドで指定されたデータの再生を開始するまでに要する時間を表す場合には、ユーザは、マルチアクセス状態にあるために自己のアクセス操作によるアクセス実行が遅れることや、アクセス実行までの待ち時間を知ることができる。
【発明の効果】
【００１７】
以上のように、この発明によれば、ユーザは、アクセス操作時、再生システムが誤動作し、または故障したと、誤認することはない。
【発明を実施するための最良の形態】
【００１８】
〔ディスク再生装置およびディスク再生システムの実施形態：図１〜図３〕
（ディスク再生装置の一例：図１）
図１は、この発明のディスク再生装置の一例を示し、ＣＤやＤＶＤなどの光ディスクから、これに記録された音楽データや映像データなどのコンテンツデータを再生する、マルチアクセスによるマルチチャンネル再生が可能なものである。
【００１９】
メカデッキ部３０では、ディスク再生装置１０にロードされた光ディスク１が、スピンドルモータ３１によって回転駆動される。光ヘッド（光ピックアップ）３３は、スレッド３５に取り付けられ、スレッドモータ３６によって、スレッド軸３７に沿って、光ディスク１の径方向に移動させられる。
【００２０】
光ヘッド３３の読み取り出力は、ＲＦアンプ４１に供給されて、ＲＦアンプ４１から、フォーカスエラー信号、トラッキングエラー信号、および記録データが得られる。
【００２１】
そのフォーカスエラー信号およびトラッキングエラー信号は、サーボコントローラ３９に供給され、サーボコントローラ３９からのフォーカスサーボ制御信号およびトラッキングサーボ制御信号によって、光ヘッド３３のフォーカシングおよびトラッキングが制御される。
【００２２】
記録データは、復調エラー訂正回路４２で、復調され、エラー訂正される。記録データとしては、光ディスク１に記録されているアドレス情報や、ＴＯＣ（Ｔａｂｌｅ  Ｏｆ  Ｃｏｎｔｅｎｔｓ）などのコンテンツ索引情報、および音楽データや映像データなどのコンテンツデータが得られる。
【００２３】
そのアドレス情報およびコンテンツ索引情報は、システムコントローラ５１に取り込まれ、サーボコントローラ３９によるスピンドルモータ３１およびスレッドモータ３６の駆動制御による光ディスク１へのアクセスに用いられる。
【００２４】
復調エラー訂正回路４２からのコンテンツデータは、チャンネル分割回路４３で、最大ｎチャンネルの範囲内で、そのときの光ディスク１へのアクセスチャンネル数分に分割される。
【００２５】
分割された各チャンネルのコンテンツデータは、バッファメモリ４５１，４５２，４５３…４５ｎに蓄積された後、バッファメモリ４５１，４５２，４５３…４５ｎから読み出されて、デコーダ４７１，４７２，４７３…４７ｎでデコードされ、最大ｎチャンネルの再生出力ＰＢ１，ＰＢ２，ＰＢ３…ＰＢｎが得られる。
【００２６】
バッファメモリ４５１，４５２，４５３…４５ｎとしては、あらかじめｎチャンネル分が用意され、または、ＤＲＡＭ（Ｄｙｎａｍｉｃ  ＲＡＭ）などのメモリ上に、そのときのアクセスチャンネル数分のバッファメモリが設定される。
【００２７】
システムコントローラ５１は、コンピュータによって構成され、ＣＰＵ、およびプログラムやデータが展開されるＲＡＭを備える。システムコントローラ５１には、ＲＯＭなどからなる記憶部５９、操作部５５および表示部５７が接続される。
【００２８】
記憶部５９には、後述の時間計算処理ルーチンを含む各種プログラムや、ユーザのアクセス操作時、後述のように当該アクセスコマンドで指定されたデータの再生が開始されるまでの間、再生される内容情報データを含む各種データが、あらかじめ格納される。
【００２９】
操作部５５は、この例では、各チャンネルのアクセス操作やその他の操作を行うもので、操作部５５からシステムコントローラ５１には、各チャンネルの操作に応じたコマンドＣＭ１，ＣＭ２，ＣＭ３…ＣＭｎが与えられ、システムコントローラ５１は、そのコマンドＣＭ１，ＣＭ２，ＣＭ３…ＣＭｎに従って光ディスク１へのアクセスなどを実行する。
【００３０】
表示部５７は、液晶ディスプレイなどによって構成され、システムコントローラ５１によってディスク再生装置１０の操作状況や動作状態などが表示される。
【００３１】
記憶部５９に格納する内容情報データを画像データとする場合、その画像データは、システムコントローラ５１によって記憶部５９から読み出され、圧縮データの場合には伸長されて、その画像データによって、表示部５７上に画像が表示され、または、その画像データが、切り換え制御信号とともに、出力切換部４９に供給される。
【００３２】
また、記憶部５９に格納する内容情報データを音声データとする場合、その音声データは、システムコントローラ５１によって記憶部５９から読み出され、圧縮データの場合には伸長されて、切り換え制御信号とともに、出力切換部４９に供給される。
【００３３】
出力切換部４９は、これからの各チャンネルのデータ出力として、当該チャンネルのコンテンツデータの再生が開始されるまでの間は、内容情報データとしての画像データまたは音声データを出力し、当該チャンネルのコンテンツデータの再生が開始された後は、デコーダ４７１，４７２，４７３…４７ｎからの再生出力ＰＢ１，ＰＢ２，ＰＢ３…ＰＢｎを出力するように、上記の切り換え制御信号によって切り換え制御される。
【００３４】
（ディスク再生システムの一例：図２）
図２は、この発明のディスク再生システムの一例を示し、車載用の音楽再生システムとして、図1の例のようなディスク再生装置１０、および各チャンネル（各ユーザ用）の音声出力装置１０１，１０２，１０３…１０ｎを備える場合である。
【００３５】
この場合、光ディスク１には、多数の曲データが記録され、ディスク再生装置１０では、その曲データを再生して、その再生出力ＰＢ１，ＰＢ２，ＰＢ３…ＰＢｎを、それぞれケーブル９によって音声出力装置１０１，１０２，１０３…１０ｎに伝送する。ディスク再生装置１０は、車の前方座席の前方部などに設置される。
【００３６】
音声出力装置１０１は、車の前方座席で音楽を聞くユーザのためのもので、再生出力ＰＢ１を左右のアナログ音声信号に変換して、左右のスピーカ１１３Ｌ，１１３Ｒに供給する。スピーカ１１３Ｌ，１１３Ｒは、例えば、前方座席の左右位置に設けられる。
【００３７】
音声出力装置１０２，１０３…１０ｎは、それぞれ車の後部座席で音楽を聞くユーザのためのもので、再生出力ＰＢ２，ＰＢ３…ＰＢｎを左右のアナログ音声信号に変換して、左右の音声出力端子１１７Ｌ，１１７Ｒに出力する。したがって、それぞれのユーザは、音声出力端子１１７Ｌ，１１７Ｒにヘッドホン１１８を接続することによって、再生出力ＰＢ２，ＰＢ３…ＰＢｎの音楽を聞くことができる。
【００３８】
この例では、車内の各ユーザは、例えば、助手席のユーザによる操作部５５でのアクセス操作によって、ディスク再生装置１０のシステムコントローラ５１に対して、希望する曲を指定して、その曲の再生（頭出し再生、通常再生、早送り再生、早戻し再生など）を指示することができる。
【００３９】
上述したように内容情報データとして記憶部５９から読み出された音声データＤａは、再生出力ＰＢ１，ＰＢ２，ＰＢ３…ＰＢｎと同様に、音声出力装置１０１，１０２，１０３…１０ｎに伝送され、アクセス操作時、スピーカ１１３Ｌ，１１３Ｒまたはヘッドホン１１８から、後述のような音声が出力される。
【００４０】
なお、図１に示したデコーダ４７１，４７２，４７３…４７ｎを、音声出力装置１０１，１０２，１０３…１０ｎ側に設け、内容情報データとしての音声データも、音声出力装置１０１，１０２，１０３…１０ｎ側でデコードするように構成してもよい。
【００４１】
（ディスク再生システムの他の例：図３）
図３は、この発明のディスク再生システムの他の例を示し、住居内などで用いられる映像音声再生システムとして、図１の例のようなディスク再生装置１０、および各チャンネル（各ユーザ用）の映像音声出力装置２０１，２０２，２０３…２０ｎを備える場合である。
【００４２】
この場合、光ディスク１には、映画の各シーンや、連続ドラマの第１話、第２話などの各ストーリー部分などの映像音声データが記録され、ディスク再生装置１０では、その映像音声データを再生して、その再生出力ＰＢ１，ＰＢ２，ＰＢ３…ＰＢｎを、送受信部６１によってアンテナ６３から、適切な無線周波数帯の電波として映像音声出力装置２０１，２０２，２０３…２０ｎに送信する。
【００４３】
映像音声出力装置２０１，２０２，２０３…２０ｎは、各ユーザの部屋などに設置され、または各ユーザが手元に所持するもので、そのアンテナ２１１および送受信部２１２で、ディスク再生装置１０から送信された当該チャンネルの再生出力が受信される。
【００４４】
その受信された再生出力は、映像音声分離回路２１３で映像データと音声データに分離され、さらに、分離された映像データが映像処理回路２１４でアナログ映像信号に変換され、分離された音声データが音声処理回路２１５でアナログ音声信号に変換されて、ディスプレイ２１６上に映像が表示され、スピーカ２１７から音声が出力される。
【００４５】
さらに、この例では、各チャンネル（各ユーザ）のアクセス操作やその他の操作が、映像音声出力装置２０１，２０２，２０３…２０ｎの操作部２１９で行われる。その操作によるコマンドは、コントローラ２１８から送受信部２１２に送られ、送受信部２１２によってディスク再生装置１０に送信される。ディスク再生装置１０では、その送信されたコマンドが、送受信部６１によって受信され、システムコントローラ５１に取り込まれる。
【００４６】
上述したように記憶部５９から読み出された内容情報データＤｖａは、再生出力ＰＢ１，ＰＢ２，ＰＢ３…ＰＢｎと同様に、映像音声出力装置２０１，２０２，２０３…２０ｎに送信され、内容情報データＤｖａが画像データである場合には、アクセス操作時、ディスプレイ２１６上に後述のような画像が表示され、内容情報データＤｖａが音声データである場合には、アクセス操作時、スピーカ２１７から後述のような音声が出力される。
【００４７】
なお、図１に示したデコーダ４７１，４７２，４７３…４７ｎを、映像音声出力装置２０１，２０２，２０３…２０ｎ側に設け、内容情報データとしての画像データまたは音声データも、映像音声出力装置２０１，２０２，２０３…２０ｎ側でデコードするように構成してもよい。
【００４８】
〔コンテンツ再生開始までの間の画像表示または音声出力：図４〜図９〕
上述した各例のディスク再生システムで、マルチアクセスによるマルチチャンネル再生を行う場合、図１０および図１１に示して上述したように、アクセス操作時、実際に再生が開始されて再生出力が得られるまでに時間がかかる。
【００４９】
そこで、上述した各例のディスク再生システムでは、アクセス操作時、コンテンツデータの再生が開始されるまでの間、記憶部５９に格納されている内容情報データによって、以下のように画像または音声を再生する。
【００５０】
（遅延時間の予測および提示…図４〜図９）
具体的な例として、ディスク再生装置１０において、システムコントローラ５１が、アクセスコマンドを受け付けてから、当該アクセスコマンドで指定されたデータの再生を開始するまでに要する時間を、予測して、ユーザに提示すると、好適である。以下に、まず、この例を示す。以下では、この時間を「遅延時間」と称する。
【００５１】
システムコントローラ５１内のＲＡＭ上には、図４に示すように、ＦＩＦＯ（Ｆｉｒｓｔ  Ｉｎ  Ｆｉｒｓｔ  Ｏｕｔ）アクセスキュー５３が設定され、システムコントローラ５１（ＣＰＵ）は、アクセスコマンドを受け付けたとき、そのコマンドをＦＩＦＯアクセスキュー５３に書き込む。
【００５２】
図４の例は、チャンネル１，４，５，３，２のアクセスコマンドｃｍ１，ｃｍ４，ｃｍ５，ｃｍ３，ｃｍ２を、この順序で順次受け付けた場合であり、コマンドｃｍ１はトラック１の再生を、コマンドｃｍ４およびｃｍ５はトラック５の再生を、コマンドｃｍ３はトラック１０の再生を、コマンドｃｍ２はトラック７の再生を、それぞれ指示するものである。
【００５３】
この場合、例えば、チャンネル３（ユーザＵ３）のコマンドｃｍ３からみると、コマンドｃｍ１，ｃｍ４およびｃｍ５は、それぞれ第１順位、第２順位および第３順位の先順位にある。
【００５４】
図６に、これらコマンドｃｍ１，ｃｍ４，ｃｍ５，ｃｍ３が順次実行されるときの様子を示す。時点ｔ０は、光ヘッド３３が、その時の位置からトラック１まで、光ディスク１の径方向に移動し始める時点であり、時間Ｔｓａは、その移動に要する時間である。時点ｔ１は、光ヘッド３３がトラック１に達して、トラック１からデータを読み取り始める時点であり、時間Ｔｒａは、トラック１からデータを読み取る時間である。
【００５５】
図４は、時点ｔ０から時点ｔｘまでの間にコマンドｃｍ１，ｃｍ４およびｃｍ５が順次受け付けられ、時点ｔｘで当該コマンドｃｍ３が受け付けられた場合である。当該コマンドｃｍ３の受け付け時点が、コマンドｃｍ４の実行に着手する時点ｔ２以降である場合には、その時点でコマンドｃｍ１につき１回分のデータ読み取りが終了しているので、当該コマンドｃｍ３に対してコマンドｃｍ１は先順位ではなく、コマンドｃｍ４が第１順位、コマンドｃｍ５が第２順位、当該コマンドｃｍ３は第３順位となる。
【００５６】
ただし、当該コマンドｃｍ３の受け付け時点ｔｘが、図６とは異なり、コマンドｃｍ１につきトラック１からデータを読み取っている途中である場合には、コマンドｃｍ１は第１順位である。
【００５７】
遅延時間の予測に当たっては、図５に示すように、先順位の各アクセスコマンドおよび当該アクセスコマンドにつき、シーク時間Ｔｓｉおよびリード時間Ｔｒｉを計算する。
【００５８】
シーク時間Ｔｓｉは、順位ｉが１，２…ｋ（ｋは、遅延時間予測対象の当該アクセスコマンドの順位で、図４のコマンドｃｍ３については４）の各アクセスコマンドについての、現在位置または移動開始位置から目的位置まで光ヘッド３３を移動させるのに要する時間であり、図６の場合には、Ｔｓ１＝Ｔｓａｘ，Ｔｓ２＝Ｔｓｂ，Ｔｓ３＝Ｔｓｃ，Ｔｓ４＝Ｔｓｄである。
【００５９】
リード時間Ｔｒｉは、順位ｉが１，２…ｋの各アクセスコマンドについての、データ読み取りに要する時間であり、図６の場合には、Ｔｒ１＝Ｔｒａ，Ｔｒ２＝Ｔｒｂ，Ｔｒ３＝Ｔｒｃ，Ｔｒ４＝Ｔｒｄである。
【００６０】
シーク時間Ｔｓｉは、現在位置または移動開始位置と目的位置との差、および光ヘッド３３（スレッド３５）の移動能力（移動速度）から、予測することができる。また、リード時間Ｔｒｉは、光ディスク１からのデータ読み取り速度（各バッファメモリへのデータ転送速度）、および各バッファメモリの蓄積容量から、各バッファメモリがフルになるまでの時間として求めることができる。
【００６１】
上述したように、当該コマンドｃｍ３の受け付け時点ｔｘが、第１順位のコマンドｃｍ１につきトラック１からデータを読み取っている途中である場合には、シーク時間Ｔｓ１はゼロであり、リード時間Ｔｒ１は図６に示した時間Ｔｒａより短くなる。
【００６２】
そして、遅延時間として、図５の式（１）または式（２）で表される時間ＴｘｙまたはＴｘｚを計算する。
【００６３】
図６に示すように、時間Ｔｘｙは、当該コマンドｃｍ３の受け付け時点ｔｘから、当該コマンドｃｍ３で指定されたトラック１０からデータを読み取り始める時点ｔｙまでの時間であり、時間Ｔｘｚは、当該コマンドｃｍ３の受け付け時点ｔｘから、当該コマンドｃｍ３で指定されたトラック１０からデータを読み取り終わる時点ｔｚまでの時間である。
【００６４】
両者の違いは、当該コマンドｃｍ３によるデータ再生開始時点を、光ディスク１から１回分のデータを読み取り始め、バッファメモリ４５３に１回分のデータを転送蓄積し始める時点ｔｙとするか、光ディスク１から１回分のデータを読み取り終わり、バッファメモリ４５３から１回分のデータを読み出し始め、デコーダ４７３で１回分のデータをデコードし始める時点ｔｚとするか、の違いだけであるので、いずれを算出してもよい。
【００６５】
以上は、コマンドｃｍ３を受け付けたとき、コマンドｃｍ３についての遅延時間を計算する場合であるが、コマンドｃｍ４，ｃｍ５，ｃｍ２の受け付け時にも、同様にコマンドｃｍ４，ｃｍ５，ｃｍ２についての遅延時間を計算する。
【００６６】
図７に、システムコントローラ５１（ＣＰＵ）が実行する、この時間計算処理ルーチンの一例を示す。
【００６７】
この例の時間計算処理ルーチン８０では、光ディスク１がディスク再生装置１０にロードされた状態で処理を開始して、まずステップ８１で、アクセスコマンドがあるか否かを判断し、アクセスコマンドがあるときには、ステップ８２に進んで、そのアクセスコマンドを受け付けて、ＦＩＦＯコマンドキュー５３に書き込む。
【００６８】
次に、ステップ８３に進んで、当該アクセスコマンドに対して先順位のアクセスコマンドがあるか否かを判断し、先順位のアクセスコマンドがないときには、当該アクセスコマンドは直ちに実行し、遅延時間は僅少であるので、遅延時間を計算することなく、ステップ８１に戻る。
【００６９】
先順位のアクセスコマンドがあるときには、ステップ８３からステップ８４に進んで、先順位および当該順位の各アクセスコマンドにつき、上述したシーク時間Ｔｓｉを計算し、次にステップ８５に進んで、先順位の各アクセスコマンドにつき、上述したリード時間Ｔｒｉを計算し、さらにステップ８６に進んで、図５の式（１）によって遅延時間Ｔｘｙを計算する。
【００７０】
この例では、さらにステップ８７に進んで、その計算結果の遅延時間Ｔｘｙを、内容情報データとして記憶部５９に格納された画像データによって、図２の例のディスク再生システムでは、ディスク再生装置１０の表示部５７上に表示し、図３の例のディスク再生システムでは、対応するチャンネルの映像音声出力装置のディスプレイ２１６上に表示する。
【００７１】
内容情報データとしての画像データは、例えば、図８に示すように、「ｃｈ  ：再生まで約  秒」というような内容の遅延時間提示画面５を表示するデータとし、対応するチャンネルの番号、および算出された遅延時間の秒数を、これに当てはめて、「ｃｈ３：再生まで約７秒」というような内容を、表示部５７の表示画面５７ａ、または対応するチャンネルの映像音声出力装置のディスプレイ２１６上に表示する。
【００７２】
さらに、この場合、時間の経過に伴って、当該アクセスコマンドによるデータ再生開始までの時間が漸減するので、図２の例のディスク再生システムでは、図９に示すように、第１順位より下位の順位の、または下位の順位であった各アクセスコマンドにつき、図３の例のディスク再生システムでは、対応するチャンネルのアクセスコマンドにつき、それぞれ、そのアクセスコマンドによるデータ再生開始までの時間を、待ち時間として秒単位で減少させて表示するようにしてもよい。
【００７３】
計算結果の遅延時間は、内容情報データとして記憶部５９に格納された音声データによって、図２の例のディスク再生システムでは、対応するチャンネルの音声出力装置のスピーカ１１３Ｌ，１１３Ｒまたはヘッドホン１１８から、図３の例のディスク再生システムでは、対応するチャンネルの映像音声出力装置のスピーカ２１７から、それぞれ、「再生まで７秒ほどお待ちください」というような音声で提示するようにしてもよい。
【００７４】
以上のように、遅延時間を画像（画面）または音声で提示することによって、アクセス操作時、実際に再生が開始されて再生出力が得られるまでに時間がかかっても、ユーザは、ディスク再生システムが誤動作し、または故障したと、誤認することはないとともに、再生出力が得られるまでのおおよその時間を知ることができる。
【００７５】
（他の例）
遅延時間を計算提示しないで、内容情報データとして記憶部５９に格納された画像データまたは音声データによって、アクセス操作時のディスク再生システムのアクセス状態を表すようにしてもよい。具体的に、この場合、「ほかにもアクセスがあるため、再生まで、しばらくお待ちください」というような内容の、画像（画面）を表示し、または音声を出力する。
【００７６】
さらに、アクセス操作時、このようにディスク再生システムのアクセス状態を表さないで、当該アクセスコマンドによるデータ再生開始までの間、内容情報データとして記憶部５９に格納された画像データまたは音声データによって、単に画像を表示し、または音声を出力するようにしてもよい。この場合の「画像」は、動画、静止画、グラフィックス、文字など、視覚的に認識可能な内容であれば、いずれでもよく、「音声」は、音楽（曲）、話声、鳥のさえずりなどの自然音など、聴覚的に認識可能な内容であれば、いずれでもよい。
【００７７】
これらの場合にも、ユーザは、ディスク再生システムが誤動作し、または故障したと、誤認することはない。
【００７８】
〔他の実施形態〕
音楽データや映像データなどのコンテンツデータが記録されたディスク媒体は、光ディスクに限らず、磁気ディスクや光磁気ディスクなどでもよい。また、ディスク媒体に記録されたコンテンツデータは、音楽データや映像データなどに限らず、ゲームソフトなどのコンピュータプログラムでもよい。
【図面の簡単な説明】
【００７９】
【図１】この発明のディスク再生装置の一例を示す図である。
【図２】この発明のディスク再生システムの一例を示す図である。
【図３】この発明のディスク再生システムの他の例を示す図である。
【図４】ＦＩＦＯコマンドキューの書き込み状態の一例を示す図である。
【図５】遅延時間の計算の説明に供する式を示す図である。
【図６】遅延時間の計算の説明に供する時間関係を示す図である。
【図７】時間計算処理ルーチンの一例を示す図である。
【図８】遅延時間の提示方法の一例を示す図である。
【図９】待ち時間を提示する場合の例を示す図である。
【図１０】マルチアクセスの場合のアクセス動作を示す図である。
【図１１】マルチアクセスの場合のデータ再生を示す図である。
【符号の説明】
【００８０】
主要部については図中に全て記述したので、ここでは省略する。
【図１】
2005158131.tif 000003
【図２】
2005158131.tif 000004
【図３】
2005158131.tif 000005
【図４】
2005158131.tif 000006
【図５】
2005158131.tif 000007
【図６】
2005158131.tif 000008
【図７】
2005158131.tif 000009
【図８】
2005158131.tif 000010
【図９】
2005158131.tif 000011
【図１０】
2005158131.tif 000012
【図１１】
2005158131.tif 000013